(57)【要約】【課題】  少なくとも車速値に応じて車両前照灯の照射角度を可変制御する装置において、交差点通行時や駐停車、車庫入れ等における夜間視認性を高めることを目的とする。【解決手段】  車速センサ５の検出値ならびに車両周囲状況検出手段３の検出値に基づいて車両前照灯の上下方向および水平方向の各照射角度を可変制御する場合において、スロットル開度を検出するスロットル開度センサ７の検出値Ｔが予め設定された所定値Ｔ０以下の場合には車両前照灯１の上下方向および水平方向の各照射角度の変更を共に禁止して予め設定された所定の照射角度に固定する。【選択図】        図２
2004352246.tif 000002
【特許請求の範囲】
【請求項１】
車両前照灯と、車両の走行速度を検出する車速センサと、スロットル開度を検出するスロットル開度センサと、前方車両の有無、前方車両との距離、路面カーブの有無などの車両の周囲状況を検出する車両状況検出手段と、前記車速センサの検出値ならびに前記車両周囲状況検出手段の検出値に基づいて車両前照灯の上下方向および水平方向の各照射角度を変更する車両前照灯可変制御手段と、前記スロットル開度センサの検出値が予め設定された所定値以下の場合に前記車両前照灯可変制御手段による車両前照灯の上下方向および水平方向の各照射角度の変更を共に禁止して予め設定された所定の照射角度に固定する車両前照灯固定化手段と、を備えていることを特徴とする車両前照灯制御装置。
【請求項２】
前記車両前照灯可変制御手段は、前記車速センサの車速検出値が大きくなるほど遠方へ照射されるように車両前照灯の上下方向の角度を制御するものであることを特徴とする請求項１に記載の車両前照灯制御装置。
【請求項３】
前記車両前照灯可変制御手段は、前記車両状況検出手段の検出値に応じて車両前方の有無を判別し、前方車両が存在する場合には先行車両か対向車両かを識別するとともに、これらの車両との距離を検出して、これらの結果に基づいて車両前照灯の上下方向の照射角度を制御するものである、ことを特徴とする請求項１または請求項２に記載の車両前照灯制御装置。
【請求項４】
前記車両前照灯可変制御手段は、前記車両状況検出手段の検出値に基づいて路面カーブの曲率を求め、その曲率の大きさに応じて前記車両前照灯の水平方向の照射角度を制御するものである、ことを特徴とする請求項１ないし請求項３のいずれか１項に記載の車両前照灯制御装置。
【請求項５】
前記車両前照灯可変制御手段は、左右ターンランプの作動状態の有無を調べ、ターンランプの作動が検出された場合には前記車両前照灯の水平方向の照射角度をターンランプ作動側方向に増大するように補正するものである、ことを特徴とする請求項４に記載の車両前照灯制御装置。
【請求項６】
前記車両前照灯可変制御手段は、前記スロットル開度センサによる検出値が所定値以上となった場合には、前記車両前照灯固定化手段による車両前照灯の照射角度の変更禁止を解除して車両前照灯の可変制御を再開するものである、ことを特徴とする請求項１ないし請求項５のいずれか１項に記載の車両前照灯制御装置。
【請求項７】
前記車両前照灯可変制御手段は、前記スロットル開度センサによる検出値の変化量が所定値以上となった場合には、前記車両前照灯固定化手段による車両前照灯の照射角度の変更禁止を解除して車両前照灯の可変制御を再開するものである、ことを特徴とする請求項１ないし請求項５のいずれか１項に記載の車両前照灯制御装置。
【発明の詳細な説明】
【技術分野】
【０００１】
この発明は、前照灯の照射状態を制御するようにした車両前照灯制御装置の改良に関するものである。
【背景技術】
【０００２】
自動車の夜間走行時、車両前照灯はＨＩＧＨ／ＬＯＷの２段切換のみで、水平方向への切換はできず固定されているため、曲路進行時においては車体進行方向と前照灯照射方向が異なり、運転者にとって危険を察知しにくいものとなっている。
【０００３】
従来、車両のハンドル操作角度と車両速度に応じて前照灯照射方向を制御する装置が開示されている。これは、車両のハンドル操作角度検出値を車速増加に従って小とするよう演算し、演算値に基づき車両前照灯を駆動制御して、車体の予測された進行方向へ前照灯照射しようとするものである（例えば、特許文献１参照）。
【特許文献１】特開昭６１−２２２８３７号公報
【発明の開示】
【発明が解決しようとする課題】
【０００４】
以上のような車両前照灯制御装置は、車両の進行方向を予測して前照灯の照射方向を調整するようにしているため、運転者にとって進行方向への確認がしやすいものとなっている。
【０００５】
しかしながら、交差点のように進行方向以外に対しても、安全確認の必要な交通路においては、ハンドル操作角度だけで決まる照射方向に限定しておくと、不便な場合がある。
【０００６】
例えば交差点での右又は左折時に、前方から直進する無灯火の自動車、自転車、又は歩行者がある場合、前照灯照射方向が異なるため確認できないという問題がある。
【０００７】
また、自動車の車庫入れや、駐車時等は、ハンドル操作が短時間に頻繁に行われるため、目標とする駐車位置への見極めが難しいという問題を生じる。
【０００８】
この発明は、このような従来の問題点に着目してなされたもので、自動車の所定走行速度以下（又は相当値）を検出した際、交差点、車庫入れ等を想定して、車両進行方向だけではなく、自車両周辺のなるべく広範囲に前照灯照射し、かつ照射角度を固定にすることによって、車両周辺への夜間視認性を向上させる装置を提供することを目的とする。
【課題を解決するための手段】
【０００９】
請求項１記載の発明に係る車両前照灯制御装置は、車両前照灯と、車両の走行速度を検出する車速センサと、スロットル開度を検出するスロットル開度センサと、前方車両の有無、前方車両との距離、路面カーブの有無などの車両の周囲状況を検出する車両状況検出手段と、前記車速センサの検出値ならびに前記車両周囲状況検出手段の検出値に基づいて車両前照灯の上下方向および水平方向の各照射角度を変更する車両前照灯可変制御手段と、前記スロットル開度センサの検出値が予め設定された所定値以下の場合に前記車両前照灯可変制御手段による車両前照灯の上下方向および水平方向の各照射角度の変更を共に禁止して予め設定された所定の照射角度に固定する車両前照灯固定化手段と、を備えていることを特徴とする車両前照灯制御装置。
【００１０】
請求項２記載の発明に係る車両前照灯制御装置は、請求項１に記載の発明の構成において、前記車両前照灯可変制御手段は、前記車速センサの車速検出値が大きくなるほど遠方へ照射されるように車両前照灯の上下方向の角度を制御するものであることを特徴とする。
【００１１】
請求項３記載の発明に係る車両前照灯制御装置は、請求項１または請求項２に記載の構成において、前記車両前照灯可変制御手段は、前記車両状況検出手段の検出値に応じて車両前方の有無を判別し、前方車両が存在する場合には先行車両か対向車両かを識別するとともに、これらの車両との距離を検出して、これらの結果に基づいて車両前照灯の上下方向の照射角度を制御するものである、ことを特徴とする。
【００１２】
請求項４記載の発明に係る車両前照灯制御装置は、請求項１ないし請求項３のいずれか１項に記載の発明の構成において、前記車両前照灯可変制御手段は、前記車両状況検出手段の検出値に基づいて路面カーブの曲率を求め、その曲率の大きさに応じて前記車両前照灯の水平方向の照射角度を制御するものである、ことを特徴とする。
【００１３】
請求項５記載の発明に係る車両前照灯制御装置は、請求項４に記載の発明の構成において、前記車両前照灯可変制御手段は、左右ターンランプの作動状態の有無を調べ、ターンランプの作動が検出された場合には前記車両前照灯の水平方向の照射角度をターンランプ作動側方向に増大するように補正するものである、ことを特徴とする。
【００１４】
請求項６の発明に係る車両前照灯制御装置は、請求項１ないし請求項５のいずれか１項に記載の発明の構成において、前記車両前照灯可変制御手段は、前記スロットル開度センサによる検出値が所定値以上となった場合には、前記車両前照灯固定化手段による車両前照灯の照射角度の変更禁止を解除して車両前照灯の可変制御を再開するものである、ことを特徴とする。
【００１５】
請求項７の発明に係る車両前照灯制御装置は、請求項１ないし請求項５のいずれか１項に記載の発明の構成において、前記車両前照灯可変制御手段は、前記スロットル開度センサによる検出値の変化量が所定値以上となった場合には、前記車両前照灯固定化手段による車両前照灯の照射角度の変更禁止を解除して車両前照灯の可変制御を再開するものである、ことを特徴とする。
【発明の効果】
【００１６】
請求項１の発明によれば、スロットル開度検出値に応じて、通常走行であるのか低速走行であるのかを簡便に切り分け、通常走行時には前照灯照射距離又は角度を変更して、車速や車両周囲状況で決まる前照灯照射距離又は角度とし、運転者の望む方向への視認性（特に夜間）を向上させる。また、低速走行時には、特に交差点への通行を想定して、前照灯照射角度を固定とし、車速や車両周囲状況に応じて前照灯照射角度が変わらないようにし、運転者にとって周囲への安全確認に適した前照灯照射とする。また、車庫入れや駐車時においても、車速や車両周囲状況に影響されず、照射方向が頻繁に変わるという煩わしさが無くなるため、好適な視界が確保できる。
【００１７】
また、スロットル開度検出値に応じて、車両前照灯可変制御と照射角度固定化との切り換えを行う様にした場合には、実際に車速が変化するよりも先に運転者の意志に基づいて、低速走行（交差点通行及び駐停車、車庫入れ）への移行を検出できる。
【００１８】
請求項２から請求項４の発明によれば、車両前照灯可変制御において、車速検出値が大きくなるほど遠方へ照射し、また、車両前方に存在する前方車両が先行車又は対向車かを認識して車両前照灯の上下方向照射角を制御し、また、路面カーブを認識して車両前照灯の水平方向照射角を制御するようにしたので、運転者にとって車速、路面状況に応じた最適な前照灯照射が行え、かつ前方の走行車にとっても照射光による幻惑を受けない。
【００１９】
請求項５の発明によれば、前照灯照射方向の可変制御時、ターンランプ作動方向へ前照灯照射角度を増大補正して車両進行方向への前照灯照射量を拡大したので、運転者が望む方向への視認性を確保し、すみやかに対応することができる。
【００２０】
請求項６の発明によれば、スロットル開度検出値が所定値以上になったことが検出された場合には、低速走行から通常走行へ移行するものと判断し、前照灯照射角度固定化を解除して前照灯可変制御を再開することにより、運転者が望む進行方向への視認性を確保してすみやかに対応することができる。
【００２１】
請求項７の発明によれば、低速走行（交差点通行及び駐停車時）時でもスロットル開度変化量が所定値以上になったことが検出された場合には、低速走行から通常走行へ移行するものと判断し、前照灯照射角度固定化を解除して前照灯可変制御を再開することにより、運転者が望む進行方向への視認性を確保して、すみやかに対応することができる。
【発明を実施するための最良の形態】
【００２２】
実施の形態１．
図１はこの発明の実施の形態１による車両前照灯制御装置を示す全体構成図である。
【００２３】
図１の構成について説明すると、左右一対の前照灯１が、車両のフロントバンパとその上部エンジンフード前縁部の間に配置されており、この前照灯１は点消灯駆動回路９を介してマイクロコンピュータ２に接続されている。マイクロコンピュータ２には前照灯１の照射方向を制御する駆動部４が接続され、この駆動部４は前照灯１の照射方向を変えるためのモータを備えている。なお、マイクロコンピュータ２は、特許請求の範囲の車両前照灯可変制御手段および車両前照灯固定化手段としての機能を果たすものである。
【００２４】
また車両のフロント部には、マイクロコンピュータ２に接続された車両状況検出手段としてのレーダ装置３が設置され、このレーダ装置３は例えば近赤外線のＬＥＤをパルス駆動して車両前方に照射するレーザ照射部、及び前方物体からの反射光を受光するレーザ受光部を備えている。このレーザ受光部は、距離検出用の受光部Ａと方位検出用の受光部Ｂを備え、距離検出用受光部Ａではレーザ照射から検出までの時間を計測し、方位検出用受光部Ｂでは反射光の入射方向を検出することによって、前方の車両（先行車、対向車）又は道路端に設置された反射マーカ等の方向を検出する役割を果す。
【００２５】
更にマイクロコンピュータ２には、前照灯１を点消灯するために運転者によってマニュアル操作される前照灯スイッチ６、車両走行速度を検出する車速センサ５、スロットルの開度を検出するスロットル開度センサ７、ブレーキペダル踏み込み量を検出するブレーキ踏み込み量検出センサ１０、左右のターンランプを点灯させるための左右ターンランプスイッチ８の出力信号が入力されるようになっている。
【００２６】
次に、前記前照灯１及び駆動部４の構成について図２のブロック図に基づいて説明する。
【００２７】
図２において、車両のフロント部において左右少なくとも２つの前照灯１を備え、各々の前照灯１につき、前照灯レンズ１１、ランプバルブ１２、垂直・水平方向に回動可能なリフレクタ１３を備えている。前照灯１の駆動部４は、前記リフレクタ１３に対し垂直・水平方向駆動用の２つのモータ１４及びリフレクタ移動量を検出するための垂直・水平方向の２つのポテンショメータ１５を備えている。そして、このポテンションメータ１５の出力により、リフレクタ１２の回動位置、換言すれば前照灯１における照射光の照射方向を検出することができる。
【００２８】
以上のように、マイクロコンピュータ２へは、レーダ装置３による車両前方の状況を表す信号、及び自車両の速度を検出する車速センサ５の出力信号、及び駆動部４に設けられたポテンショメータ１５によるリフレクタ回動位置信号としてのフィードバック信号、その他前照灯スイッチ信号、ターンランプスイッチ信号、スロットル開度センサ信号、ブレーキ踏み込み量検出センサ信号の各種信号が入力され、マイクロコンピュータ２はこれら入力信号を基に、前照灯照射状態を変更する前照灯駆動部４への制御信号を演算、出力する。
【００２９】
例えば、直線道路走行中、レーダ装置３により自車両の前方に走行車両が存在しないと確認された場合は、車速が大きくなるほど遠方へ前照灯照射するようにリフレクタ１２の垂直方向角度を調整する駆動部４のモータ１４への制御信号を演算する。
【００３０】
また、路面カーブが有る場合は、カーブに応じて水平方向角度を変えることによって、車速及びカーブに対応した照射方向に調整する制御信号を演算する。
【００３１】
さらに、前方に車両がある場合は、車両との相対距離、相対速度から車両が動いているか否かを検出し、動いている場合は先行車であるのか、対向車であるのか、どちらかに応じて、前方車両に対して眩惑しないよう前照灯の上下照射角を下方向へ補正した制御信号を演算する。
【００３２】
次に、実施の形態１の車両前照灯制御装置の動作を説明する。今、図１に示す各構成要素１〜１０を備えた車両において、その運転開始時に車両キーを投入すると、各部電気系が作動状態となり、マイクロコンピュータ２において、車載バッテリより安定化電源回路を介した安定化電圧の供給を受けて作動状態になり、各種初期設定を行った後、図３に示す演算処理を所定周期で繰り返し実行する。
【００３３】
図３は実施の形態１による車両前照灯制御（マイクロコンピュータ２による制御）を説明するためのフローチャートである。
【００３４】
まず、ステップ１０１では、運転者が操作する前照灯スイッチ６の点灯信号が発生しているか否かを判定する。この場合、前照灯スイッチ６の点灯信号が発生しないと判定がＮＯになり、ステップ１０２に進んで前照灯消灯信号を点消灯駆動回路９に出力させる。また、前照灯スイッチ６の点灯信号が発生していない間は上記処理（ルーチン）を繰り返し実行する。
【００３５】
その後、運転者が前照灯１を点灯させるべく前照灯スイッチ６を投入すると、ステップ１０１での判定がＹＥＳとなり、ステップ１０３に進んで前照灯点灯信号を点消灯駆動回路９に出力して前照灯１を点灯させる。
【００３６】
次にステップ１０４に進んで、スロットル開度センサ７の入力信号よりスロットル開度Ｔを検出し、ステップ１０５において、スロットル開度Ｔと所定スロットル開度Ｔ０との比較を行う。ここで、スロットル開度Ｔが所定スロットル開度Ｔ０以下の場合、判定がＹＥＳとなり、ステップ１０７へ進む。
【００３７】
ステップ１０７では、マイクロコンピュータ２のＣＰＵがＲＯＭ等より予め定められた前照灯制御固定値を読み込む。前照灯制御固定値として、垂直方向角度は、図７に示すように右側左側の前照灯両方ともに前照灯光軸に対して下方向最大値θＶ０とする。また、水平方向角度は、図８に示すように車両直進方向（光軸角度＝０）に対してやや外側を照射する様、右側前照灯はやや右側θＨ０（右方向を正とし、左方向を負とする）へ、左前照灯はやや左側−θＨ０へ向かせる。すなわち、車両前方への照射光量を確保しかつ車両周辺に対し最も広範囲の照射ができるように、車両前照灯１の上下方向および水平方向の照射角度が所定の角度に固定される。最後に、ステップ１０８により前照灯駆動部の制御信号として出力する。
【００３８】
また、前記ステップ１０５にて、スロットル開度Ｔが所定スロットル開度Ｔ０より大きいときにはＮＯと判定され、ステップ１０６の前照灯可変制御のサブルーチンへ進む。この前照灯可変制御の処理については、図４及び図５のフローチャートを参照して以下に説明する。
【００３９】
図４に示す演算処理において、まずステップ２０１では、車速センサ５の車速信号に基づき、図６に示す車速Ｖに応じた特性関係図から前照灯１の照射距離Ｌを求める。
【００４０】
次のステップ２０２では、レーダ装置３により前方の車両（先行車、対向車）又は道路端に設置された反射マーカによってカーブの有無を検出しておき、ステップ２０３では、ステップ２０２によりレーダ装置３より入力した信号が先行車の信号か否かを判定する。
【００４１】
ステップ２０３での判定がＹＥＳになった場合は、先行車との距離Ｄ０を算出し、次にステップ２０５により対向車の有無を判定して、ＹＥＳの場合、ステップ２０６により対向車との距離Ｄ１を算出する。
【００４２】
次のステップ２０７では、先行車との距離Ｄ０と対向車との距離Ｄ１とを比較し、Ｄ０＜Ｄ１の場合はステップ２１２へ進み、Ｄ０≧Ｄ１の場合はステップ２１１にて対向車距離Ｄ１を先行車距離Ｄ０として設定する。
【００４３】
またステップ２０３にて先行車が無いと検出された場合は、ステップ２０８に進み、対向車の検出有無を判定して、ＹＥＳの場合はステップ２０９に進み対向車との距離Ｄ１を検出し、ステップ２１０にて対向車との距離Ｄ１を先行車との距離Ｄ０として設定する。
【００４４】
ステップ２０８にてＮＯの場合は、先行車及び対向車の両方ともないと判定された場合なので、後述する照射距離Ｌの変更を行わず、ステップ２１６に進む。
【００４５】
このようにして先行車あるいは対向車のいずれか一方が存在する場合、その車との距離を前方車距離Ｄ０として、また、先行車及び対向車いずれもが検出された場合には、距離の小さい車までの距離を前方車距離Ｄ０として設定し、ステップ２１２へ進む。
【００４６】
ステップ２１２では、前方車距離Ｄ０が先のステップ２０１で求めた照射距離Ｌ以上かどうかを判定する。前方車との距離Ｄ０が照射距離Ｌ以上である時には、照射距離Ｌの変更を行う必要が無いと判断してステップ２１２の判定がＹＥＳになり、ステップ２１６に進む。
【００４７】
しかし、前方車距離Ｄ０が照射距離Ｌより短い時にはステップ２１２の判定がＮＯとなり、ステップ２１３に進んで前方車距離Ｄ０が、図６の特性における最も短い照射距離Ｌ０以下であるか否かを判定する。前方車距離Ｄ０が照射距離Ｌ０以下である時には、ステップ２１３の判定がＹＥＳになり、ステップ２１４に進んで最短照射距離Ｌ０を照射距離Ｌとして設定する。
【００４８】
また、前方車距離が照射距離Ｌ０より大きい時には、ステップ２１３の判定がＮＯになり、ステップ２１５に進んで前方車両距離Ｄ０を照射距離Ｌとして設定する。
【００４９】
上記の演算処理の後に図５のステップ２１６に進む。このステップ２１６では、ステップ２０２にてカーブ検出したかどうかを判定し、カーブ検出ある場合はＹＥＳとして、次のステップ２１８に進み、車両前照灯１の水平方向角度θＨを求める。この車両前照灯１の水平方向角度演算について図９のフローチャートを参照して説明する。
【００５０】
図９において、まずステップ２１Ａでは、レーダ装置３からの検出信号を被検出体（先行車両か、対向車両か、もしくは反射マーカであるのか）に応じて補正し、方向データＨを求める（ここでは、車両進行方向の走行軌道上に当たると予想される仮想検出ポイントからの方向データＨを求める）。次に、ステップ２１Ｂにて、求めた方向データＨから道路の曲率半径Ｒを求める。次にステップ２１Ｃにて、車両進行方向の走行軌道上に当たると予想されるポイント（Ｘｈ，Ｙｈ）を、下記の２つの方程式を解くことにより求める。
【００５１】
Ｒ２＝Ｘｈ２＋Ｙｈ２…（１）
Ｌ２＝Ｘｈ２＋Ｙｈ２…（２）
Ｌ；照射距離
【００５２】
次にステップ２１Ｄにて、下記（３）式に(Ｘｈ，Ｙｈ)を代入して、水平方向角度θＨを求める。また、曲路が左方向である場合には、−θＨとする。
【００５３】
θＨ＝π／２−ａｒｃｔａｎ（Ｙｈ／Ｘｈ）…（３）
【００５４】
ステップ２１６にてカーブ検出無しの時は、ＮＯに進みステップ２１７にて水平方向角度θＨを０（車両直進方向）とする。
【００５５】
ステップ２１９では前照灯の垂直方向角度θＶを照射距離の関数（照射距離Ｌが大きくなるほど角度θＶが小さくなるように定めた関数）により求める。そしてステップ２２０では、演算された水平・垂直方向角度θＨ，θＶに応じたリフレクタ駆動信号を前照灯駆動部４に出力し、前照灯照射方向を調整する。
【００５６】
実施の形態１では上記処理を繰り返し実行することにより、前照灯照射距離を車速が大きくなる程大きく、カーブがある場合には車両進行方向を照射するようにし、また先行車、対向車がある時にはその車両が存在する位置までにすることができる。
【００５７】
このように、この実施の形態１によれば、スロットル開度検出値に応じて、車両前照灯可変制御と照射角度固定化との切り換えを行う様にしたので、実際に車速が変化するよりも先に運転者の意志に基づいて、低速走行（交差点通行及び駐停車、車庫入れ）への移行を検出できる。
【００５８】
なお、この実施の形態１では、スロットル開度センサの出力Ｔが所定のスロットル開度Ｔ０よりも小さいときに前照灯可変制御を禁止して前照灯照射角度を固定する様にしたが、スロットル開度センサ出力Ｔが所定のスロットル開度Ｔ０より小さい値をとってから所定時間が経過した後に前照灯可変制御を禁止するようにしてもよい。
【００５９】
実施の形態２．
図１はこの実施の形態２の車両前照灯制御装置を示す構成図であり、図２は図１の車両前照灯制御装置の前照灯と駆動部の概略構成図である。図３はこの実施の形態２の全体動作を示すフローチャートである。図１、２、３の説明は実施の形態１で既に行っているので省く。
【００６０】
次に、この実施の形態２の動作について図１０〜図１１のフローチャートに従い説明を行う。
【００６１】
図１０、図１１におけるステップ５０１から５２０までの動作は実施の形態１の図４〜図５のステップ２０１から２２０と同一であるので説明は省略する。
【００６２】
この実施の形態２では、ステップ５２１においてターンランプ作動の有無を検出する。ターンランプが非作動（ＮＯ）である時は前照灯左右角度θＨに対して補正を行わない。ステップ５２１においてターンランプ作動（ＹＥＳ）を検出した時は、次のステップ５２２に進み右側か左側かどちらのターンランプの作動かを判定する。
【００６３】
ターンランプの右側の作動（ＹＥＳ）である場合、ステップ５２３に進み前照灯の水平方向角度θＨに対し、所定の角度θｃ(Ｌ)を加算する。ここでθｃ(Ｌ)は照射距離Ｌの関数で、Ｌが増大することにより小さくなる値をとる。
【００６４】
ステップ５２２において、ターンランプの左側の作動（ＮＯ）を検出した場合は、ステップ５２４にて前照灯の水平方向角度θＨに対して、左方向への角度−θc(Ｌ)を加算する。
【００６５】
以上のように実施の形態２によれば、ターンランプの作動に対し、作動側方向へ前照灯照射方向を所定量増大補正することによって、運転者の望む進行方向への視界を良好にすることができる。
【００６６】
実施の形態３．
実施の形態３では、車両前照灯可変制御の禁止を解除し再開させるために、スロットル開度センサの検出値を用いるようにしたものである。
【００６７】
図１はこの発明の実施の形態３による車両前照灯制御装置を示す全体構成図であり、図２は図１における前照灯と駆動部の概略構成図である。図１および図２の説明は実施の形態１で既に行っているので省略する。
【００６８】
次に、実施の形態３の車両前照灯制御装置の動作を、図１２のフローチャートに基づいて説明を行う。
【００６９】
ステップ６０１では、運転者が操作する前照灯スイッチ６の点灯信号が発生しているか否かを判定する。この場合、前照灯スイッチ６の点灯信号が発生しないと判定がＮＯになり、ステップ６０２に進んで前照灯消灯信号を点消灯駆動回路９に出力させる。また、前照灯スイッチ６の点灯信号が発生していない間は上記処理（ルーチン）を繰り返し実行する。
【００７０】
その後、運転者が前照灯１を点灯させるべく前照灯スイッチ６を投入すると、ステップ６０１での判定がＹＥＳとなり、ステップ６０３に進んで前照灯点灯信号を点消灯駆動回路９に出力して前照灯１を点灯させる。
【００７１】
次にステップ６０４に進んで、車速センサ５の入力信号に基づいて車両走行速度を検出し、ステップ６０５では車両走行速度Ｖを所定値Ｖ０（Ｖ０はここでは徐行速度よりも少し大きめの速度）と比較する。このとき、車両走行速度Ｖが所定開度Ｖ０よりも大きいときにはＮＯと判定され、ステップ６０６の車両前照灯可変制御のサブルーチンへ進む。一方、車両走行速度Ｖが所定開度Ｖ０よりも小さいときにはＹＥＳと判定され、ステップ６０７へ進む。
【００７２】
ステップ６０７では、ステップ６０５において車速Ｖ０以下であると判定したとき実行され、スロットル開度センサ７の入力信号よりスロットル開度Ｔを検出する。そして、ステップ６０８では、ステップ６０７で求めたスロットル開度Ｔが所定開度Ｔ１より大きいかどうかを判定する。
【００７３】
ステップ６０８において、スロットル開度ＴがＴ１より大きい場合は、運転者が加速要求をしたとして、ＹＥＳへ進みステップ６０６の車両前照灯可変制御のサブルーチンに進む。これに対して、スロットル開度Ｔが所定開度Ｔ１以下の場合は、ステップ６０９へ進み前照灯制御固定値による前照灯固定制御を行う。ステップ６０６，６０９，６１０の動作はそれぞれ実施の形態１（図３）のステップ１０６，１０７，１０８の動作と同じであるため説明は省略する。
【００７４】
この実施の形態３によれば、車両走行速度Ｖが所定値Ｖ０よりも小さく、しかも、スロットル開度Ｔが所定開度Ｔ１以下の場合には、前照灯制御固定値による前照灯固定制御を行うが、車両走行速度Ｖが所定値Ｖ０よりも小さくてもスロットル開度Ｔが所定値Ｔ１を越えたときには、運転者が加速要求をしたとして、前照灯制御固定値による前照灯照射をとりやめ、直ちに運転者の望む加速方向に対し適切な前照灯照射を行うことができる。
【００７５】
実施の形態４．
上記の実施の形態３では、車両前照灯可変制御の禁止を解除し再開させるために、スロットル開度センサの検出値を用いるようにしたが、この実施の形態４では、車両前照灯可変制御の禁止を解除し再開させるために、スロットル開度センサ検出値の変化量を用いるようにしたものである。
【００７６】
図１はこの発明の実施の形態４による車両前照灯制御装置を示す全体構成図であり、図２は図１における前照灯と駆動部の概略構成図である。図１および図２の説明は実施の形態１で既に行っているので省略する。
【００７７】
次に、実施の形態４の車両前照灯制御装置の作用を、図１３のフローチャートに基づいて説明を行う。図１３において、ステップ７０１から７０５までの動作は実施の形態３（図１２）のステップ６０１から６０５と同様であるので説明を省略する。
【００７８】
ステップ７０７では、ステップ７０５において車速がＶ０以下であると判定したとき実行され、スロットル開度センサ７からの入力信号に基づき一定期間内のスロットル開度変化量Ｔｓを算出する。そして、ステップ７０８では、ステップ７０７で求めたスロットル開度変化量Ｔｓが所定変化量Ｔｓ０より大きいかどうかを判定する。
【００７９】
ステップ７０８において、スロットル開度変化量Ｔｓが所定変化量Ｔｓ０より大きい場合は、運転者が加速要求をしたとして、ＹＥＳヘ進みステップ７０６の前照灯制御ルーチンに進む。一方、スロットル開度変化量ＴｓがＴｓ０以下の場合は、ステップ７０９へ進み前照灯制御固定値による前照灯固定制御を行う。ステップ７０６，７０９，７１０の動作はそれぞれ実施の形態３のステップ６０６，６０９，６１０の動作と同じであるため説明は省略する。
【００８０】
この実施の形態４によれば、車両走行速度Ｖが所定値Ｖ０よりも小さく、しかも、スロットル開度変化量Ｔｓが所定開度変化量Ｔｓ０以下の場合には、前照灯制御固定値による前照灯固定制御を行うが、車両走行速度Ｖが所定値Ｖ０よりも小さくても、スロットル開度変化量Ｔｓが所定開度変化量Ｔｓ０を越えたときには、運転者が加速要求をしたとして、前照灯制御固定値による前照灯照射をとりやめ、直ちに運転者の望む加速方向に対し適切な前照灯照射を行うことができる。
【００８１】
なお、この実施の形態４ではスロットル開度センサ７を用いて加速要求を検出するようにしたが、これに限定されるものではなく、アクセル開度を検出するアクセル開度センサを用いて加速検出を行っても良い。
【００８２】
その他の実施の形態．
上記実施の形態１〜４では車両前方の状況を検出する車両状況検出手段としてレーダ装置を用いて測定するようにしたが、これに限定されるものではなく、ＣＣＤ素子等を備えた画像撮像装置を用いて測定するようにしてもよい。
【００８３】
また、上記実施の形態１〜４では２灯の前照灯を備えた前照灯制御装置を示したが、本発明はこれに限定されるものではなく、例えばＨＩＧＨビーム２灯、及びＬＯＷビーム２灯を運転者のマニュアル操作で切換えられるようにした計４灯の前照灯を備え、ＨＩＧＨビーム照射距離範囲内で、照射距離・方向を制御するようにしたＬＯＷビーム側前照灯２灯につき本実施の形態の前照灯制御装置を使用してもよい。
【図面の簡単な説明】
【００８４】
【図１】この発明の実施の形態１による車両前照灯制御装置を示す全体構成図である。
【図２】実施の形態１の車両前照灯制御装置における車両前照灯及び駆動部の概略構成図である。
【図３】実施の形態１の車両前照灯制御装置の全体制御を説明するためのフローチャートである。
【図４】実施の形態１の車両前照灯制御装置の前照灯可変制御を説明するためのフローチャートである。
【図５】実施の形態１の車両前照灯制御装置の前照灯可変制御を説明するためのフローチャートである。
【図６】実施の形態１の車両前照灯制御装置の照射距離を算出するために必要な車速と照射距離の関係を表した図である。
【図７】実施の形態１の車両前照灯制御装置の前照灯固定化手段による垂直方向の光軸角度を表した図である。
【図８】実施の形態１の車両前照灯制御装置の前照灯固定化手段による水平方向の光軸角度を表した図である。
【図９】実施の形態１の車両前照灯制御装置の水平方向角度演算を説明するためのフローチャートである。
【図１０】実施の形態２の車両前照灯制御装置の制御説明に供するためのフローチャートである。
【図１１】実施の形態２の車両前照灯制御装置の制御説明に供するためのフローチャートである。
【図１２】実施の形態３の車両前照灯制御装置の制御説明に供するためのフローチャートである。
【図１３】実施の形態４の車両前照灯制御装置の制御説明に供するためのフローチャートである。
【符号の説明】
【００８５】
１  前照灯、
２  マイクロコンピュータ（車両前照灯可変制御手段、車両前照灯固定化手段）、
３  レーダ装置（車両状況検出手段）、４  駆動部、５  車速センサ、
６  前照灯スイッチ、７  スロットル開度センサ、８  ターンランプスイッチ、
９  点消灯駆動回路、１０  ブレーキ踏み込み量検出センサ。
【図１】
2004352246.tif 000003
【図２】
2004352246.tif 000004
【図３】
2004352246.tif 000005
【図４】
2004352246.tif 000006
【図５】
2004352246.tif 000007
【図６】
2004352246.tif 000008
【図７】
2004352246.tif 000009
【図８】
2004352246.tif 000010
【図９】
2004352246.tif 000011
【図１０】
2004352246.tif 000012
【図１１】
2004352246.tif 000013
【図１２】
2004352246.tif 000014
【図１３】
2004352246.tif 000015